(57)【要約】【課題】使用者に対して使用している鍋の加熱効率が良好か否かを判定して報知し、省電力化を促す誘導加熱調理器を提供する。【解決手段】制御装置４４、エコモードが有効となっている場合、鍋効率報知機能の動作を加熱動作が実施されている間、常時実施し、左加熱口用エコ表示部９ａに加熱効率の状態を使用者に報知させる。【選択図】図５
2011216389.tif 000002
【特許請求の範囲】
【請求項１】
本体と、
交流電源から供給される交流電圧を直流電圧に変換する整流回路と、
前記本体の上面に載置された被加熱物を誘導加熱する加熱コイルと、
該加熱コイルを高周波で通電させるインバーター回路と、
前記交流電源から前記整流回路へ入力される入力電流を検出する入力電流検出手段と、
前記加熱コイルに流れる出力電流を検出する出力電流検出手段と、
前記インバーター回路を制御して前記加熱コイルに加熱動作を実施させる制御装置と、
省電力な通電動作又は前記省電力な通電動作を促す動作を実施するエコモードが有効であるか無効であるかを切り替えるための切替情報を出力するエコモード設定操作手段と、
前記被加熱物に対する加熱効率の状態を報知する加熱効率報知手段と、
を備え、
前記制御装置は、
前記エコモード設定操作手段から受信した前記切替情報に基づいて、前記エコモードを有効又は無効に切り替え、
前記エコモードが有効である場合、エコモード機能の一つとして、前記入力電流検出手段から受信した前記入力電流、及び、前記出力電流検出手段から受信した前記出力電流に基づいて、前記被加熱物に対する加熱効率である対象加熱効率を算出し、該対象加熱効率の状態を前記加熱効率報知手段に報知させる
ことを特徴とする誘導加熱調理器。
【請求項２】
前記制御装置によって前記加熱効率の状態を判定するための基準となる基準加熱効率を記憶する記憶手段を備え、
前記制御装置は、前記記憶手段から読み出した前記基準加熱効率と、前記対象加熱効率とを比較し、前記基準加熱効率と前記対象加熱効率との差が小さいほど、前記対象加熱効率は良好状態であると判定し、前記基準加熱効率と前記対象加熱効率との差が大きいほど、前記対象加熱効率は不良状態であると判定し、その判定結果を前記対象加熱効率の状態として、前記加熱効率報知手段に報知させる
ことを特徴とする請求項１記載の誘導加熱調理器。
【請求項３】
前記制御装置は、
前記エコモード設定操作手段から受信した前記切替情報に基づいて、前記エコモードを有効又は無効に切り替えた時、該エコモードの状態を前記記憶手段に記憶させ、
主電源がＯＮした時、前記記憶手段から前記エコモードの状態を読み出し、該エコモードの状態に基づいて、該エコモードを有効又は無効に設定する
ことを特徴とする請求項２記載の誘導加熱調理器。
【請求項４】
前記加熱効率報知手段は、複数の色を切り替えて発光することができるＬＥＤ装置であり、
前記制御装置は、前記ＬＥＤ装置に、前記対象加熱効率の状態に対応した発光色により発光させることによって報知させる
ことを特徴とする請求項１〜請求項３のいずれかに記載の誘導加熱調理器。
【請求項５】
鍋等の前記被加熱物の大きさを判定する被加熱物判定手段と、
前記被加熱物の大きさを報知する被加熱物報知手段と、
を備え、
前記加熱コイルは、複数のコイルで構成されており、
前記制御装置は、
前記被加熱物判定手段によって判定された被加熱物の大きさに応じて、複数の前記コイルのうち一部又は全部を切り替えて通電させ、
前記エコモードが有効である場合、前記エコモード機能の一つとして、前記被加熱物判定手段による前記被加熱物の大きさについての判定結果、及び、前記加熱コイルの通電状態を前記被加熱物報知手段に報知させる
ことを特徴とする請求項１〜請求項４のいずれかに記載の誘導加熱調理器。
【請求項６】
前記制御装置は、
前記エコモードが有効である場合、前記エコモード機能の一つとして、前記被加熱物判定手段によって判定された前記被加熱物の大きさに応じて、複数の前記コイルのうち一部又は全部を切り替えて通電させる
ことを特徴とする請求項５記載の誘導加熱調理器。
【請求項７】
前記制御装置は、
加熱動作が停止している状態となってからの経過時間の計測を開始し、所定の待機時間経過後、主電源をＯＦＦさせ、
前記エコモードが有効である場合、前記エコモード機能の一つとして、前記待機時間を前記エコモードが無効である場合の前記待機時間よりも短縮させる
ことを特徴とする請求項１〜請求項６のいずれかに記載の誘導加熱調理器。
【請求項８】
加熱動作を実施させるための操作情報を出力する操作手段と、
各種設定情報等を表示する表示手段と、
を備え、
前記制御装置は、
前記エコモードが有効である場合、前記エコモード機能の一つとして、前記操作手段及び前記エコモード設定手段に対する操作が実施されなくなってからの経過時間を計測し、所定時間、前記操作手段に対する操作が実施されなかったことを検出した場合、前記表示手段の表示を消灯させ、
前記所定時間経過する前に、前記操作手段の操作が実施されたことを検出した場合、前記表示手段の表示を点灯させる
ことを特徴とする請求項１〜請求項７のいずれかに記載の誘導加熱調理器。
【請求項９】
前記制御装置は、
複数の前記エコモード機能から任意の組み合わせの前記エコモード機能の動作を実施させる複数の前記エコモードを有し、
前記エコモード設定操作手段の前記切替情報に基づいて、複数の前記エコモードのいずれかを有効とし、あるいは、すべてのエコモードを無効とする
ことを特徴とする請求項５〜請求項８のいずれかに記載の誘導加熱調理器。
【発明の詳細な説明】
【技術分野】
【０００１】
本発明は、鍋の加熱効率を報知する誘導加熱調理器に関する。
【背景技術】
【０００２】
従来の誘導加熱調理器として、その加熱口に載置された鍋にどれだけの加熱出力が加わっているのかを検出して、表示部に表示させるものがある。
【０００３】
また、加熱口に載置された鍋が誘導加熱に適しているか否かを判定して表示する誘導加熱調理器がある（例えば、特許文献１参照）。
【先行技術文献】
【特許文献】
【０００４】
【特許文献１】特開平５−１７４９５６号公報（第３頁、図１）
【発明の概要】
【発明が解決しようとする課題】
【０００５】
しかしながら、加熱出力を検出して表示させる誘導加熱調理器については、使用者が使用している鍋の現在の加熱出力が、表示部の表示によって認識できても、その加熱出力が効率がよいものであるのか否か判断することができないという問題点があった。
【０００６】
また、特許文献１に係る誘導加熱調理器においては、加熱口に載置された鍋が誘導加熱に適している物であるか否かを判断することができても、その加熱口における鍋の置き方によっては、加熱効率が悪くなり、その加熱効率が悪くなっているか否かを判断することができないという問題点があった。
【０００７】
本発明は、上記のような課題を解決するためになされたものであり、使用者に対して使用している鍋の加熱効率が良好か否かを判定して報知し、省電力化を促す誘導加熱調理器を提供することを目的とする。
【課題を解決するための手段】
【０００８】
本発明に係る加熱調理器は、本体と、交流電源から供給される交流電圧を直流電圧に変換する整流回路と、前記本体の上面に載置された被加熱物を誘導加熱する加熱コイルと、該加熱コイルを高周波で通電させるインバーター回路と、前記交流電源から前記整流回路へ入力される入力電流を検出する入力電流検出手段と、前記加熱コイルに流れる出力電流を検出する出力電流検出手段と、前記インバーター回路を制御して前記加熱コイルに加熱動作を実施させる制御装置と、省電力な通電動作又は前記省電力な通電動作を促す動作を実施するエコモードが有効であるか無効であるかを切り替えるための切替情報を出力するエコモード設定操作手段と、前記被加熱物に対する加熱効率の状態を報知する加熱効率報知手段と、を備え、前記制御装置は、前記エコモード設定操作手段から受信した前記切替情報に基づいて、前記エコモードを有効又は無効に切り替え、前記エコモードが有効である場合、エコモード機能の一つとして、前記入力電流検出手段から受信した前記入力電流、及び、前記出力電流検出手段から受信した前記出力電流に基づいて、前記被加熱物に対する前記加熱効率を算出し、該加熱効率の状態を前記加熱効率報知手段に報知させることを特徴とする。
【発明の効果】
【０００９】
本発明によれば、使用者は誘導加熱を受けている鍋の加熱効率が良好であるか否かを知ることができるので、加熱効率のよい鍋の交換を促したり、使用している鍋の置き方を正常位置に戻すように促すことができ、結果的には省エネを促進することができる。
【図面の簡単な説明】
【００１０】
【図１】本発明の実施の形態１に係る誘導加熱調理器の外観斜視図である。
【図２】本発明の実施の形態１に係る誘導加熱調理器の上面図である。
【図３】本発明の実施の形態１に係る誘導加熱調理器のブロック回路図である。
【図４】本発明の実施の形態１に係る誘導加熱調理器の鍋効率報知機能における加熱効率についての判定条件を示す図である。
【図５】本発明の実施の形態１に係る誘導加熱調理器の加熱効率の状態表示の例を示す図である。
【図６】本発明の実施の形態１に係る誘導加熱調理器において小径鍋が載置されているか否かの判定条件を示す図である。
【図７】本発明の実施の形態１に係る誘導加熱調理器において中・大径鍋が載置されているか否かの判定条件を示す図である。
【発明を実施するための形態】
【００１１】
実施の形態１．
（誘導加熱調理器の構成）
図１は、本発明の実施の形態１に係る誘導加熱調理器の外観斜視図であり、図２は、同誘導加熱調理器の上面図である。
図１及び図２で示される本実施の形態に係る誘導加熱調理器１００において、本体１の上面には、トッププレート２が設置されており、そのトッププレート２上には、鍋等の被加熱物（例えば、図１における鍋２１）を載置するための左加熱口３、右加熱口４及び中央加熱口５が形成されている。また、本体１の前部上面には、各種設定値、異常情報、及び後述するオートオフ機能における残時間等を表示する液晶パネル等の液晶表示部６、火力設定内容等をＬＥＤ等で表示する火力表示部７、並びに、火力の設定等の操作を実施する上面操作部８が設置されている。さらに、本体１の前部上面には、後述するエコモードの有効及び無効を切り替えるエコ設定スイッチ９、そのエコモードが有効となっている場合において、左加熱口３の加熱動作の加熱効率の状態を表示する左加熱口用エコ表示部９ａ、右加熱口４の加熱動作の加熱効率の状態を表示する右加熱口用エコ表示部９ｂ、並びに、中央加熱口５の加熱動作の加熱効率の状態を表示する中央加熱口用エコ表示部９ｃが設置されている。そして、本体１の後方の上面には、本体１の後面に設置された吸気口（図示せず）から、後述するグリル部１２の内部に取り込まれた空気、及び、そのグリル部１２内の調理物から発生する煙を外部に排出するため排気口１０が設置されている。
【００１２】
本体１の右前面部には、火力を調整するための前面操作部１１が設置されており、その前面操作部１１には、左加熱口３における加熱動作のＯＮ／ＯＦＦ操作及び火力調整操作をするための左加熱口操作スイッチ１１ａ、右加熱口４における加熱動作のＯＮ／ＯＦＦ操作及び火力調整操作をするための右加熱口操作スイッチ１１ｂ、並びに、中央加熱口５における加熱動作のＯＮ／ＯＦＦ操作及び火力調整操作をするための中央加熱口操作スイッチ１１ｃが備えられている。また、本体１の左前面部には、グリル部１２が搭載されており、このグリル部１２の内部のシーズヒーター等の加熱手段（図示せず）によって調理物の加熱調理が実施される。
【００１３】
なお、エコ設定スイッチ９は、本発明の「エコモード設定操作手段」に相当し、左加熱口用エコ表示部９ａ、右加熱口用エコ表示部９ｂ及び中央加熱口用エコ表示部９ｃは、本発明の「加熱効率報知手段」に相当する。
また、液晶表示部６は、本発明の「被加熱物報知手段」に相当し、液晶表示部６及び火力表示部７は、本発明の「表示手段」に相当し、そして、上面操作部８、エコ設定スイッチ９及び前面操作部１１は、本発明の「操作手段」に相当する。
【００１４】
図３は、本発明の実施の形態１に係る誘導加熱調理器のブロック回路図である。
図３で示されるように、交流電源３１は、整流手段３３の入力側に接続され、この整流手段３３の出力正極側には、リアクトル３４が接続されており、また、このリアクトル３４の他端と整流手段３３の出力負極側との間には平滑コンデンサー３５が接続されている。少なくとも、上記の整流手段３３、リアクトル３４及び平滑コンデンサー３５によって直流電源回路３２が構成されている。この直流電源回路３２によって変換された直流電圧は、インバーター回路３６に供給される。
【００１５】
インバーター回路３６は、直流電源回路３２の正負母線間に直列に接続された２個のＩＧＢＴ等のスイッチング素子、及び、そのスイッチング素子にそれぞれ逆並列に接続されたダイオードによって構成される３組のアームによって構成されている。ここで、この３組のアームのうち１組を共通アーム３７、そして、他の２組をそれぞれ内コイル用アーム３８及び外コイル用アーム３９というものとする。また、共通アーム３７、内コイル用アーム３８及び外コイル用アーム３９における正母線側のスイッチング素子をそれぞれ上スイッチ３７ａ、３８ａ及び３９ａ、並びに、負母線側のスイッチング素子をそれぞれ下スイッチ３７ｂ、３８ｂ及び３９ｂと呼ぶ。また、３組の各アームにおける正母線側のスイッチング素子に逆並列に接続されたダイオードをそれぞれ上ダイオード３７ｃ、３８ｃ及び３９ｃ、並びに、負母線側のスイッチング素子に逆並列に接続されたダイオードをそれぞれ下ダイオード３７ｄ、３８ｄ及び３９ｄと呼ぶ。
【００１６】
共通アーム３７における上スイッチ３７ａと下スイッチ３７ｂとの接続点が、共通アーム３７の出力点となっており、内コイル用アーム３８における上スイッチ３８ａと下スイッチ３８ｂとの接続点が、内コイル用アーム３８の出力点となっており、また、外コイル用アーム３９における上スイッチ３９ａと下スイッチ３９ｂとの接続点が、外コイル用アーム３９の出力点となっている。上記の共通アーム３７の出力点と内コイル用アーム３８の出力点との間は、内コイル４０ａと共振コンデンサー４０ｂとの直列共振回路（以下、「内コイル負荷回路４０」という）によって接続されている。また、共通アーム３７の出力点と外コイル用アーム３９の出力点との間は、外コイル４１ａと共振コンデンサー４１ｂとの直列共振回路（以下、「外コイル負荷回路４１」という）によって接続されている。上記の内コイル４０ａは、略円形に巻かれた誘導加熱用のコイルであり、その外周に内コイル４０ａに対して略同心円状に外コイル４１ａが巻かれている。内コイル４０ａ及び外コイル４１ａは、左加熱口３に大径鍋が載置された場合に、そのインダクタンス値が略同一になるように調整されており、また、内コイル負荷回路４０及び外コイル負荷回路４１は、略同一の共振周波数を有するように調整されている。ここで、内コイル４０ａ及び外コイル４１ａは、トッププレート２における左加熱口３の下に設置されるものとし、図３には示されていないが、この内コイル４０ａ及び外コイル４１ａに相当するコイルが、右加熱口４及び中央加熱口５の下にもそれぞれ設置されているものとする。この場合、右加熱口４及び中央加熱口５の下に設置された各コイルを駆動するために、図３で示されるインバーター回路３６、共振コンデンサー４０ｂ及び共振コンデンサー４１ｂ、並びに、後述する共通アーム駆動回路４５、内コイル用アーム駆動回路４６及び外コイル用アーム駆動回路４７に相当するものが、それぞれ備えられているものとする。
【００１７】
本体１の内部には、誘導加熱調理器１００を全体的に制御する制御装置４４が備えられており、この制御装置４４には、共通アーム駆動回路４５、内コイル用アーム駆動回路４６及び外コイル用アーム駆動回路４７が接続されている。共通アーム駆動回路４５は、制御装置４４から受信した制御信号に基づいて、共通アーム３７における上スイッチ３７ａ及び下スイッチ３７ｂに駆動信号を出力してＯＮ／ＯＦＦ動作を実施する。また、内コイル用アーム駆動回路４６は、制御装置４４から受信した制御信号に基づいて、内コイル用アーム３８における上スイッチ３８ａ及び下スイッチ３８ｂに駆動信号を出力してＯＮ／ＯＦＦ動作を実施する。そして、外コイル用アーム駆動回路４７は、制御装置４４から受信した制御信号に基づいて、外コイル用アーム３９における上スイッチ３９ａ及び下スイッチ３９ｂに駆動信号を出力してＯＮ／ＯＦＦ動作を実施する。
【００１８】
また、制御装置４４には、本体１内部に設置され、本体１を冷却、特に、前述した直流電源回路３２、インバーター回路３６、内コイル４０ａ及び外コイル４１ａを冷却する冷却ファン４８、及び、後述する標準鍋の加熱効率情報等を記憶する不揮発性のメモリー４９が接続されている。
【００１９】
また、制御装置４４には、上面操作部８、エコ設定スイッチ９及び前面操作部１１が接続され、さらに、液晶表示部６、火力表示部７、左加熱口用エコ表示部９ａ、右加熱口用エコ表示部９ｂ及び中央加熱口用エコ表示部９ｃが接続されている。
【００２０】
上面操作部８は、使用者による火力設定等の操作情報を制御装置４４に送信する。エコ設定スイッチ９は、使用者によって操作された後述するエコモードの有効及び無効を切り替えるための操作情報を制御装置４４に送信する。前面操作部１１は、使用者による火力動作のＯＮ／ＯＦＦ操作及び火力調整操作についての操作情報を制御装置４４に送信する。
【００２１】
左加熱口用エコ表示部９ａは、エコモードが有効となっている場合に、左加熱口３の加熱動作の加熱効率の状態をＬＥＤの発光色によって使用者に報知する。右加熱口用エコ表示部９ｂ及び中央加熱口用エコ表示部９ｃも、同様に、それぞれ右加熱口４及び中央加熱口５の加熱動作の加熱効率の状態をＬＥＤの発光色によって使用者に報知する。このエコモードが有効となっている場合における、左加熱口用エコ表示部９ａ、右加熱口用エコ表示部９ｂ及び中央加熱口用エコ表示部９ｃによる加熱効率の報知動作については後述する。
【００２２】
また、制御装置４４には、直流電源回路３２に入力される電流を検出する入力電流検出手段５１、内コイル４０ａに流れる電流を検出する内コイル電流検出手段５２、外コイル４１ａに流れる電流を検出する外コイル電流検出手段５３、及び外コイル４１ａの両端電圧を検出する外コイル電圧検出手段５４が接続されている。
【００２３】
なお、内コイル４０ａ及び外コイル４１ａは、本発明の「加熱コイル」に相当し、内コイル電流検出手段５２及び外コイル電流検出手段５３は、本発明の「出力電流検出手段」に相当する。
また、メモリー４９は、本発明の「記憶手段」に相当し、内コイル電流検出手段５２、外コイル電流検出手段５３及び外コイル電圧検出手段５４は、本発明の「被加熱物判定手段」に相当する。
【００２４】
（誘導加熱調理器の誘導加熱動作）
次に、図１〜図３を参照しながら、本実施の形態に係る誘導加熱調理器１００の誘導加熱動作について説明する。
使用者は、誘導加熱調理器１００の主電源を入れ、調理物等が投入された鍋２１等の被加熱物を左加熱口３に載置する。そして、使用者により前面操作部１１の左加熱口操作スイッチ１１ａにおいて加熱開始操作が実施されることによって、その操作情報が前面操作部１１から制御装置４４に送信される。制御装置４４は、受信した操作情報に基づいて、共通アーム駆動回路４５、内コイル用アーム駆動回路４６及び外コイル用アーム駆動回路４７に制御信号（加熱指令）を送信する。この制御信号に基づいて、共通アーム駆動回路４５は、共通アーム３７における上スイッチ３７ａ及び下スイッチ３７ｂをＯＮ／ＯＦＦ動作を高周波で駆動させ、内コイル用アーム駆動回路４６は、内コイル用アーム３８における上スイッチ３８ａ及び下スイッチ３８ｂをＯＮ／ＯＦＦ動作を高周波で駆動させ、そして、外コイル用アーム駆動回路４７は、外コイル用アーム３９における上スイッチ３９ａ及び下スイッチ３９ｂをＯＮ／ＯＦＦ動作を高周波で駆動させる。このとき、内コイル負荷回路４０に印加される電圧は、共通アーム３７の出力点電圧と内コイル用アーム３８の出力点電圧の差であり、外コイル負荷回路４１に印加される電圧は、共通アーム３７の出力点電圧と外コイル用アーム３９の出力点電圧の差である。上記の共通アーム３７、内コイル用アーム３８及び外コイル用アーム３９は、高周波駆動によって内コイル４０ａ及び外コイル４１ａに通電させ、左加熱口３に載置された鍋２１は、この内コイル４０ａ及び外コイル４１ａから誘導加熱を受けて加熱される。
【００２５】
また、使用者によって前面操作部１１の左加熱口操作スイッチ１１ａが設定火力が大きくなるように調整操作された場合、制御装置４４は、共通アーム駆動回路４５、内コイル用アーム駆動回路４６及び外コイル用アーム駆動回路４７に対して、共通アーム３７と、内コイル用アーム３８及び外コイル用アーム３９とにおける高周波の駆動動作の位相差が大きくなるように動作させる。一方、使用者によって前面操作部１１の左加熱口操作スイッチ１１ａが設定火力が小さくなるように調整操作された場合、制御装置４４は、共通アーム駆動回路４５、内コイル用アーム駆動回路４６及び外コイル用アーム駆動回路４７に対して、共通アーム３７と、内コイル用アーム３８及び外コイル用アーム３９とにおける高周波の駆動動作の位相差が小さくなるように動作させる。
【００２６】
そして、制御装置４４は、前面操作部１１から受信した火力設定についての操作情報に基づいて、火力表示部７に火力設定情報を送信し、火力表示部７は、受信した火力設定情報を表示させる。
【００２７】
また、上記のような誘導加熱動作は、鍋２１等が右加熱口４又は中央加熱口５に載置された場合も、同様の動作となる。
【００２８】
なお、上記の加熱動作においては、共通アーム３７、内コイル用アーム３８及び外コイル用アーム３９のすべてを高周波駆動させ、内コイル４０ａ及び外コイル４１ａに通電させ、鍋２１を誘導加熱させる動作としているが、これに限定されるものではなく、鍋２１が小径鍋等である場合、共通アーム３７及び内コイル用アーム３８のみを高周波駆動させ、内コイル４０ａのみに通電させ、鍋２１を誘導加熱させる動作としてもよい。
【００２９】
（エコモード設定動作）
次に、図２及び図３を参照しながら、エコモードの有効又は無効に切り替える動作について説明する。
【００３０】
まず、エコモードが無効に設定されている状態から、エコモードを有効に設定する動作について説明する。
使用者は、本体１の前部上面に設置されているエコ設定スイッチ９を押下すると、その操作情報が、エコ設定スイッチ９から制御装置４４に送信される。そして、制御装置４４は、エコモードを有効に切り替え、このエコモードが有効である旨の情報をメモリー４９に記憶させる。このように、メモリー４９にエコモードが有効である旨の情報が記憶されることによって、主電源ＯＦＦ後から次回の主電源ＯＮ時に、制御装置４４が、メモリー４９からこの情報を読み出し、エコモードを有効に設定する。制御装置４４は、エコモードが有効に設定されている場合、その旨を液晶表示部６に表示させる。エコモードが有効である場合、下記のエコモード機能が実施される。これらのエコモード機能の詳細は、後述する。
【００３１】
（１）制御装置４４は、各加熱口における鍋２１等の被加熱物の加熱動作の加熱効率の状態を判定し、その判定結果を左加熱口用エコ表示部９ａ、右加熱口用エコ表示部９ｂ及び中央加熱口用エコ表示部９ｃのＬＥＤの発光色によって使用者に報知させる（以下、この機能を「鍋効率報知機能」という）。
（２）制御装置４４は、各加熱口に載置された鍋２１が、小径鍋であるのか、中・大径鍋であるのか判定し、小径鍋であると判定した場合、内コイル４０ａのみに通電させて加熱動作させる動作に切り替え、また、中・大径鍋であると判定した場合、内コイル４０ａ及び外コイル４１ａに通電させて加熱動作させる動作に切り替え、小径鍋であるのか、中・大径鍋であるのかの判定結果、及び、加熱動作の状態を、液晶表示部６に表示させる（以下、この機能を「鍋判定機能」という）。
（３）制御装置４４は、各加熱口の全ての加熱動作が停止してから、主電源をＯＦＦさせるまでの待機時間を短縮する（以下、この機能を「オートオフ機能」という）。
（４）制御装置４４は、上面操作部８、エコ設定スイッチ９及び前面操作部１１が操作されない時から所定時間経過後に、液晶表示部６の液晶表示は継続するがそのバックライトを消灯させる（以下、この機能を「バックライト消灯機能」という）。
【００３２】
なお、エコモードが有効であるとき、上記（１）〜（４）の各エコモード機能がすべて実施されるものに限定されるものではなく、上記（１）〜（４）のうちいずれか１つ、２つ又は３つが実施されるものとしてもよい。この場合、誘導加熱調理器１００は、上記（１）〜（４）のすべてのエコモード機能を有し、エコモードを有効にした場合、どのエコモード機能を実施するのかを、使用者によって上面操作部８等を介して設定可能としてもよい。
【００３３】
また、エコモードが有効となった場合、上記（１）〜（４）の各エコモード機能が実施されるものとしたが、これに限定されるものではなく、複数のエコモードを有し、各エコモードに切り替えることができるものとしてもよい。例えば、エコモードとしてエコモードＡ〜エコモードＣの３つを有するものとし、エコモードＡに設定されている場合には、鍋効率報知機能及び鍋判定機能が実施されるものとし、エコモードＢに設定されている場合には、エコモードＡで実施されるエコモード機能に加え、オートオフ機能が実施されるものとし、そして、エコモードＣに設定されている場合には、エコモードＢで実施されるエコモード機能に加え、バックライト消灯機能が実施されるものとしてもよい。この場合、使用者によってエコ設定スイッチ９が押下されるごとに、各エコモード機能が切り替えられるものとすればよく、制御装置４４は、エコモードが有効となっているか否か、あるいは、エコモードが有効となっている場合にはどのエコモードに設定されているかを、メモリー４９に記憶させると共に液晶表示部６に表示させる。上記の例の場合、使用者によってエコ設定スイッチ９が押下されるごとに、エコモード無効→エコモードＡ→エコモードＢ→エコモードＣ→エコモード無効という順序で切り替えられるものとすればよい。このようにすることによって、使用者によってその意図に沿ったエコモードを選択することができるので、省電力化を促すことができる。
【００３４】
次に、エコモードが有効に設定されている状態から、エコモードを無効に設定する動作について説明する。
使用者は、本体１の前部上面に設置されているエコ設定スイッチ９を押下すると、その操作情報が、エコ設定スイッチ９から制御装置４４に送信される。そして、制御装置４４は、エコモードを有効から無効に切り替え、このエコモードが無効である旨の情報をメモリー４９に記憶させる。このように、メモリー４９にエコモードが無効である旨の情報が記憶されることによって、主電源ＯＦＦ後から次回の主電源ＯＮ時に、制御装置４４が、メモリー４９からこの情報を読み出し、エコモードを無効に設定する。制御装置４４は、エコモードが無効に設定されている場合、その旨を液晶表示部６に表示させる。
【００３５】
以上の動作のように、簡便にエコモードの有効又は無効を切り替えることができるので、使い勝手よく使用者に省電力化を促すことができる。
【００３６】
なお、上記のエコ設定スイッチ９によるエコモードの切り替え操作は、各加熱口における加熱動作が停止中においてのみ可能としてもよく、あるいは、各加熱口における加熱動作が実施中においても可能としてもよい。
【００３７】
（鍋効率報知機能の動作）
図４は、本発明の実施の形態１に係る誘導加熱調理器の鍋効率報知機能における加熱効率についての判定条件を示す図であり、図５は、同誘導加熱調理器の加熱効率の状態表示の例を示す図である。以下、図４及び図５を参照しながら、エコモードが有効となっている状態において実施される鍋効率報知機能の動作について説明する。
【００３８】
予め、加熱効率を良好とする標準鍋の加熱効率（以下、「基準加熱効率」という）が、メモリー４９が記憶されているものとする。ここで、加熱効率とは、入力電流検出手段５１によって検出される直流電源回路３２に入力される電流（以下、「入力電流」という）に対する、内コイル電流検出手段５２によって検出される内コイル４０ａに流れる電流（以下、「内コイル電流」という）及び外コイル電流検出手段５３によって検出される外コイル４１ａに流れる電流（以下、「外コイル電流」という）の和（以下、「出力電流」という）の割合を示すものとする。図４は、横軸を入力電流、そして、縦軸を出力電流とする加熱効率を示す直線（以下、「効率直線」という）を示している。図４で示されるように、基準効率直線６１は、上記の標準鍋における効率直線である。
【００３９】
使用者は、被加熱物として鍋２１を、左加熱口３に載置する。そして、使用者により前面操作部１１の左加熱口操作スイッチ１１ａにおいて加熱開始操作が実施されることによって、その操作情報が前面操作部１１から制御装置４４に送信される。制御装置４４は、受信した操作情報に基づいて、共通アーム駆動回路４５、内コイル用アーム駆動回路４６及び外コイル用アーム駆動回路４７に制御信号（加熱指令）を送信し、共通アーム駆動回路４５、内コイル用アーム駆動回路４６及び外コイル用アーム駆動回路４７は、この制御信号に基づいて、それぞれ共通アーム３７、内コイル用アーム３８及び外コイル用アーム３９を高周波駆動させ、鍋２１を誘導加熱させる。
【００４０】
制御装置４４は、上記の誘導加熱動作の実施中に、入力電流及び出力電流を受信し、鍋２１の加熱効率（以下、「対象加熱効率」という）を算出する。次に、制御装置４４は、算出したこの対象加熱効率とメモリー４９に記憶されている基準加熱効率との差について、基準加熱効率に対する割合を算出する。
【００４１】
制御装置４４は、算出したこの割合が、所定値未満、例えば、１０％未満であると判定した場合、この鍋２１の加熱効率は良好である状態（以下、単に「良好状態」という）として、左加熱口用エコ表示部９ａのＬＥＤを緑色に点灯させて、使用者に鍋２１の加熱効率が良好である旨を報知させる。この良好状態である加熱効率は、図４で示される良好状態上限効率直線６２ａと、良好状態下限効率直線６２ｂとの間に存在する。図４で示される効率直線例６５は、良好状態の加熱効率を示している。この良好状態上限効率直線６２ａは、基準効率直線６１上の基準加熱効率について１０％増加させた場合の加熱効率の効率直線を示し、良好状態下限効率直線６２ｂは、基準効率直線６１上の基準加熱効率について１０％減少させた場合の加熱効率の効率直線を示している。
【００４２】
また、制御装置４４は、算出した割合が、所定値の範囲、例えば、１０％以上２０％未満であると判定した場合、この鍋２１の加熱効率は標準である状態（以下、単に「標準状態」という）として、左加熱口用エコ表示部９ａのＬＥＤを橙色に点灯させて、使用者に鍋２１の加熱効率が標準の状態である旨を報知させる。この標準状態である加熱効率は、図４で示される標準状態上限効率直線６３ａと良好状態上限効率直線６２ａとの間、又は、標準状態下限効率直線６３ｂと良好状態下限効率直線６２ｂの間に存在する。この標準状態上限効率直線６３ａは、基準効率直線６１上の基準加熱効率について２０％増加させた場合の加熱効率の効率直線を示し、標準状態下限効率直線６３ｂは、基準効率直線６１上の基準加熱効率について２０％減少させた場合の加熱効率の効率直線を示している。
【００４３】
そして、制御装置４４は、算出した割合が、所定値以上、例えば、２０％以上であると判定した場合、この鍋２１の加熱効率は不良である状態（以下、単に「不良状態」という）として、左加熱口用エコ表示部９ａのＬＥＤを赤色に点灯させて、使用者に鍋２１の加熱効率が不良である旨を報知させる。この不良状態である加熱効率は、図４で示される標準状態上限効率直線６３ａの上側、又は、標準状態下限効率直線６３ｂの下側に存在する。図４で示される効率直線例６４は、不良状態の加熱効率を示している。
【００４４】
制御装置４４、エコモードが有効となっている場合、鍋効率報知機能の動作を加熱動作が実施されている間、常時実施し、左加熱口用エコ表示部９ａに加熱効率の状態を使用者に報知させる。
【００４５】
以上の動作によって、使用者は誘導加熱を受けている鍋の加熱効率が良好であるか否かを知ることができるので、加熱効率のよい鍋の交換を促したり、使用している鍋の置き方を正常位置に戻すように促すことができ、結果的には省エネを促進することができる。
【００４６】
なお、上記の鍋効率報知機能の動作は、加熱動作中常時実施されるものとしたが、これに限定されるものではなく、例えば、一定時間ごとに実施されるものとしてもよい。
また、上記の鍋効率報知機能の動作における加熱効率の状態の報知は、左加熱口用エコ表示部９ａのＬＥＤにおいて、加熱効率が良好状態の場合、緑色に点灯させ、加熱効率が標準状態の場合、橙色に点灯させ、そして、加熱効率が不良状態の場合、赤色に点灯させるものとしているが、これらの発光色は例示であり、その他の色によって各状態を報知させるものとしてもよい。
また、上記の鍋効率報知機能の動作は、左加熱口３に載置された鍋２１に対して実施されるものとしたが、これに限定されるものではなく、右加熱口４、又は、中央加熱口５において実施されるものとしてよいのは言うまでもない。この場合、右加熱口４における加熱効率の状態の報知は、右加熱口用エコ表示部９ｂに報知させるものとし、中央加熱口５における加熱効率の状態の報知は、中央加熱口用エコ表示部９ｃに報知させるものとすればよい。
また、上記の鍋効率報知機能の動作における加熱効率の状態の報知は、左加熱口用エコ表示部９ａ、右加熱口用エコ表示部９ｂ及び中央加熱口用エコ表示部９ｃのＬＥＤの発光によって実施されるものとしているが、これに限定されるものではなく、各表示部の発光による報知の代わりに、あるいは、それに加えて、音声による報知手段を備えるものとし、この報知手段に報知させるものとしてもよい。
【００４７】
（鍋判定機能の動作）
図６は、本発明の実施の形態１に係る誘導加熱調理器において小径鍋が載置されているか否かの判定条件を示す図であり、図７は、同誘導加熱調理器において中・大径鍋が載置されているか否かの判定条件を示す図である。以下、図６及び図７を参照しながら、エコモードが有効となっている状態において実施される鍋判定機能の動作について説明する。
【００４８】
制御装置４４は、左加熱口３に載置された鍋２１に対する誘導加熱動作の実施中に、内コイル４０ａのみ、又は、内コイル４０ａ及び外コイル４１ａに通電しているか否かを判定する。この判定の結果、内コイル４０ａ及び外コイル４１ａに通電している場合、検出された内コイル電流及び外コイル電流の電流比がアンバランスか否かを判定する。左加熱口３に載置された鍋２１のサイズが小さい場合には、内コイル４０ａ又は外コイル４１ａの一方のみ磁気結合が強く他方は弱くなるので、内コイル４０ａと外コイル４１ａの負荷インピーダンスがアンバランスになり、各コイルに流れる電流もアンバランスになりやすい。したがって、図６で示されるように、制御装置４４は、内コイル電流及び外コイル電流がアンバランスになった場合には、小径鍋が載置されていると判定し、内コイル４０ａのみに通電する加熱動作に変更する。このとき、制御装置４４は、液晶表示部６に、左加熱口３に載置されている鍋２１が小径鍋である旨、及び、その鍋２１を内コイル４０ａのみに通電させることによって加熱動作を実施している旨を表示させる。
【００４９】
一方、内コイル４０ａのみに通電している場合、左加熱口３に載置された鍋のサイズが大きいものであるとすると、内コイル４０ａ及び外コイル４１ａにまたがる磁路が形成され、両コイルの磁気結合が強まり、外コイル４１ａに誘起される電圧も大きくなる。したがって、この場合、制御装置４４は、外コイル電圧検出手段５４によって検出される外コイル４１ａの両端電圧（以下、「外コイル電圧」という）が所定値以上であるか否かを判定する。この判定の結果、図７で示されるように、外コイル電圧が所定値以上である場合、制御装置４４は、中・大径鍋が載置されていると判定し、内コイル４０ａ及び外コイル４１ａに通電する加熱動作に変更する。このとき、制御装置４４は、液晶表示部６に、左加熱口３に載置されている鍋２１が中・大径鍋である旨、及び、その鍋２１を内コイル４０ａ及び外コイル４１ａに通電させることによって加熱動作を実施している旨を表示させる。
【００５０】
以上の動作によって、使用者は、使用する鍋によってどのような加熱動作が実施されているのかを、液晶表示部６による表示によって確認することができるので、現状の加熱動作の内容が認識できないことによる不満感を解消することができる。
【００５１】
なお、上記のように、鍋判定機能の動作として、加熱口に載置された鍋が小径鍋か中・大径鍋かを判定し、その判定された鍋に応じて加熱動作を切り替え、かつ、載置された鍋が小径鍋か中・大径鍋かの判定結果、及び、どのような状態で加熱動作を実施しているかを液晶表示部６に表示させるものとしているが、これに限定されるものではなく、以下の動作のようにしてもよい。すなわち、エコモードが有効又は無効であるかに関わらず、加熱口に載置された鍋が小径鍋か中・大径鍋かを判定し、その判定された鍋に応じて加熱動作を切り替える動作を実施するものとし、エコモードが有効である場合に、鍋判定機能の動作として、載置された鍋が小径鍋か中・大径鍋かの判定結果、及び、どのような状態で加熱動作を実施しているかを液晶表示部６に表示させるものとしてもよい。
また、上記の鍋判定機能の動作は、左加熱口３に載置された鍋２１に対して実施されるものとしたが、これに限定されるものではなく、右加熱口４、又は、中央加熱口５において実施されるものとしてもよいのは言うまでもない。
【００５２】
（オートオフ機能の動作）
次に、エコモードが有効となっている状態において実施されるオートオフ機能の動作について説明する。
【００５３】
制御装置４４は、すべての加熱口における加熱動作が停止している状態となってからの経過時間の計測を開始し、冷却ファン４８を駆動させて、本体１を冷却、特に、直流電源回路３２、インバーター回路３６、内コイル４０ａ及び外コイル４１ａを冷却させる。そして、制御装置４４は、冷却ファン４８が停止し、所定の待機時間の経過を検出した後、主電源をＯＦＦさせる。
【００５４】
上記の動作において、エコモードが有効となっている場合は、オートオフ機能の動作として、上記の待機時間を、エコモードが無効となっている場合の待機時間よりも短縮させる。例えば、エコモードが無効となっている場合の待機時間を４５分とし、エコモードが有効となっている場合、オートオフ機能の動作として、待機時間を１５分に短縮させる。
【００５５】
以上の動作のように、エコモードが有効でオートオフ機能を動作させる場合は、主電源ＯＦＦまでの待機時間を短縮することによって、消費電力を削減することができる。
【００５６】
（バックライト消灯機能の動作）
次に、エコモードが有効となっている状態において実施されるバックライト消灯機能の動作について説明する。
【００５７】
エコモードが有効となっている場合、制御装置４４は、バックライト消灯機能の動作として、使用者によって上面操作部８、エコ設定スイッチ９及び前面操作部１１の操作がされなくなってからの経過時間の計測を開始し、所定時間、使用者によって各操作部の操作が実施されなかったことを検出した場合、液晶表示部６のバックライトを消灯させる。また、制御装置４４は、所定時間経過する前に、使用者によって各操作部の操作が実施されたことを検出した場合は、液晶表示部６のバックライトを点灯させる。
【００５８】
以上の動作によって、使用者が誘導加熱調理器１００から離れる等の理由によって各操作部の操作が実施されない場合に、液晶表示部６のバックライトを消灯させることによって、無駄な消費電力を削減することができる。
【００５９】
なお、上記のように、バックライト消灯機能の動作として、所定時間、使用者によって各操作部の操作が実施されない場合、液晶表示部６の液晶表示を消灯させる動作としたが、これに加えて、火力表示部７その他の表示手段の表示を消灯させるものとしてもよい。
【００６０】
（実施の形態１の効果）
以上の構成及び動作のように、簡便にエコモードの有効又は無効を切り替え、又は、複数のエコモードのいずれかに切り替えることができるので、使い勝手よく使用者に省電力化を促すことができる。
また、鍋効率報知機能を備えることによって、使用者は誘導加熱を受けている鍋の加熱効率が良好であるか否かを知ることができるので、加熱効率のよい鍋の交換を促したり、使用している鍋の置き方を正常位置に戻すように促すことができ、結果的には省エネを促進することができる。
また、鍋判定機能を備えることによって、使用者は、使用する鍋によってどのような加熱動作が実施されているのかを、液晶表示部による表示によって確認することができるので、現状の加熱動作の内容が認識できないことによる不満感を解消することができる。
また、エコモードが有効でオートオフ機能を動作させる場合は、主電源ＯＦＦまでの待機時間を短縮することによって、消費電力を削減することができる。
そして、オートオフ機能を備えることによって、使用者が誘導加熱調理器から離れる等の理由によって各操作部の操作が実施されない場合に、液晶表示部６のバックライトを消灯させることによって、無駄な消費電力を削減することができる。
【符号の説明】
【００６１】
１  本体、２  トッププレート、３  左加熱口、４  右加熱口、５  中央加熱口、６  液晶表示部、７  火力表示部、８  上面操作部、９  エコ設定スイッチ、９ａ  左加熱口用エコ表示部、９ｂ  右加熱口用エコ表示部、９ｃ  中央加熱口用エコ表示部、１０  排気口、１１  前面操作部、１１ａ  左加熱口操作スイッチ、１１ｂ  右加熱口操作スイッチ、１１ｃ  中央加熱口スイッチ、１２  グリル部、２１  鍋、３１  交流電源、３２  直流電源回路、３３  整流手段、３４  リアクトル、３５  平滑コンデンサー、３６  インバーター回路、３７  共通アーム、３７ａ  上スイッチ、３７ｂ  下スイッチ、３７ｃ  上ダイオード、３７ｄ  下ダイオード、３８  内コイル用アーム、３８ａ  上スイッチ、３８ｂ  下スイッチ、３８ｃ  上ダイオード、３８ｄ  下ダイオード、３９  外コイル用アーム、３９ａ  上スイッチ、３９ｂ  下スイッチ、３９ｃ  上ダイオード、３９ｄ  下ダイオード、４０  内コイル負荷回路、４０ａ  内コイル、４０ｂ  共振コンデンサー、４１  外コイル負荷回路、４１ａ  外コイル、４１ｂ  共振コンデンサー、４４  制御装置、４５  共通アーム駆動回路、４６  内コイル用アーム駆動回路、４７  外コイル用アーム駆動回路、４８  冷却ファン、４９  メモリー、５１  入力電流検出手段、５２  内コイル電流検出手段、５３  外コイル電流検出手段、５４  外コイル電圧検出手段、６１  基準効率直線、６２ａ  良好状態上限効率直線、６２ｂ  良好状態下限効率直線、６３ａ  標準状態上限効率直線、６３ｂ  標準状態下限効率直線、６４、６５  効率直線例、１００  誘導加熱調理器。
【図１】
2011216389.tif 000003
【図２】
2011216389.tif 000004
【図３】
2011216389.tif 000005
【図４】
2011216389.tif 000006
【図５】
2011216389.tif 000007
【図６】
2011216389.tif 000008
【図７】
2011216389.tif 000009